(57)【特許請求の範囲】
【請求項１】
演奏者によって押離鍵操作される複数の鍵と、
前記複数の鍵を上下方向に揺動可能に支持するフレームと、
前記複数の鍵の押離鍵状態を検出するための複数のスイッチが配置された基板と、
前記基板を保持する保持部であって、互いに前後方向に離間して前記フレームに一体的に形成された第１保持部及び第２保持部とを備えた鍵盤装置の基板保持構造であって、
前記第１保持部を、
前記フレームから上下方向に延設された壁部と、
前記壁部から前記第２保持部側へ突出した第１突起部と、
前記壁部に対して前記第２保持部側にて、前記フレームから上下方向に延設された第１ベース部とで構成するとともに、前記基板が前記第１保持部に保持された状態で前記第１ベース部と前記基板との当接部が前記第１突起部と前記基板との当接部よりも前記第２保持部側に位置するように前記第１突起部と前記第１ベース部とを前後方向にずらしておき、
前記第２保持部を、
前後方向に変形する変形部であって、板状に形成されて、前記複数の鍵の並び方向に延設され、延設方向両端にて上下方向に沿って固定された変形部と、
前記変形部から前記第１保持部側へ突出した第２突起部と、
前記変形部に対して前記第１保持部側にて、前記フレームから上下方向に延設された第２ベース部とで構成し、かつ
前記基板の前記第１保持部側の端部または中間部に設けた貫通穴の周縁部を前記第１突起部と前記第１ベース部の間に挟み込むとともに、前記基板の前記第２保持部側の端部または中間部に設けた貫通穴の周縁部を前記第２突起部と前記第２ベース部の間に挟み込み、前記変形部によって前記基板を前記壁部に押し付けて前記基板を保持するようにしたことを特徴とする鍵盤装置の基板保持構造。
【請求項２】
請求項１に記載の鍵盤装置の基板保持構造において、さらに、
前記第１ベース部から連続して前記壁部側へ延設されて、前記第１ベース部から前記壁部側へ向かうに従って前記基板からの離間距離が大きくなるように傾斜した傾斜面を有する傾斜部を設けたことを特徴とする鍵盤装置の基板保持構造。
【請求項３】
請求項２に記載の鍵盤装置の基板保持構造において、さらに、
前記傾斜部の前記壁部側の端部から連続して前記壁部側へ延設されて、前記壁部に連結された連結部を設けたことを特徴とする鍵盤装置の基板保持構造。
【発明の詳細な説明】
【技術分野】
【０００１】
本発明は、電子オルガン、電子ピアノなどの電子鍵盤楽器の鍵盤装置において鍵の押離鍵状態を検出するスイッチを有する基板を保持するための基板保持構造に関する。
【背景技術】
【０００２】
従来から、例えば下記特許文献１に示されているように、フレームにフック及びボスを設けておき、鍵の押離鍵状態を検出するためのスイッチが配置された基板（以下、単に基板という。）の中間部をフックにより保持し、端部をねじによりボスに固定するようにした鍵盤装置の基板保持構造は知られている。この基板保持構造を備えた鍵盤装置においては、基板の中間部及び端部に貫通孔を設けておき、基板の中間部に設けた貫通孔にフックを通した後、基板をスライドさせて、貫通孔の内周面をフックに当接させる。そして、基板の端部に設けた貫通孔にねじを通し、そのねじをボスにねじ込むことにより基板をフレームに保持している。なお、フック及びボスはフレームに一体的に形成されている。この基板保持構造によれば、フレームを変更することなく、幅が異なる複数の基板を選択的に組み付けることができる。したがって、機能の異なる鍵盤装置を簡単に実現できる。
【先行技術文献】
【特許文献】
【０００３】
【特許文献１】特許４１１１２０９号公報
【発明の概要】
【０００４】
しかし、上記従来の鍵盤装置の基板保持構造においては、基板端部をねじにより固定しているので、部品コストがかかるだけでなく、基板のフレームへの組み付け作業に時間がかかっていた。
【０００５】
本発明は上記問題に対処するためになされたもので、その目的は、安価に幅の異なる複数の基板を選択的にフレームに組み付けることができ、基板のフレームへの組み付け性を良好にした鍵盤装置の基板保持構造を提供することにある。
【０００６】
上記目的を達成するために、本発明の特徴は、演奏者によって押離鍵操作される複数の鍵（１１）と、複数の鍵を上下方向に揺動可能に支持するフレーム（１２，３６）と、複数の鍵の押離鍵状態を検出するための複数のスイッチ（２７）が配置された基板（２６，３５，４０）と、基板を保持する保持部であって、互いに前後方向に離間してフレームに一体的に形成された第１保持部（３０，３７）及び第２保持部（３１，３８）とを備えた鍵盤装置の基板保持構造であって、第１保持部を、フレームから上下方向に延設された壁部（３０ｃ）と、壁部から第２保持部側へ突出した第１突起部（３０ｅ）と、壁部に対して第２保持部側にて、フレームから上下方向に延設された第１ベース部（３０ａ）とで構成するとともに、基板が第１保持部に保持された状態で第１ベース部と基板との当接部が第１突起部と基板との当接部よりも第２保持部側に位置するように第１突起部と第１ベース部とを前後方向にずらしておき、かつ第２保持部を、前後方向に変形する変形部（３１ｂ）であって、板状に形成されて、複数の鍵の並び方向に延設され、延設方向両端にて上下方向に沿って固定された変形部と、変形部から第１保持部側へ突出した第２突起部（３１ｃ）と、変形部に対して第１保持部側にて、フレームから上下方向に延設された第２ベース部（３１ａ）とで構成し、基板の第１保持部側の端部または中間部に設けた貫通穴（２６ａ，４０ａ）の周縁部を第１突起部と第１ベース部の間に挟み込むとともに、基板の第２保持部側の端部または中間部に設けた貫通穴の周縁部を第２突起部と第２ベース部の間に挟み込み、変形部によって基板を壁部に押し付けて基板を保持するようにしたことにある。
【０００７】
上記のように構成した鍵盤装置の基板保持構造によれば、第１ベース部を壁部に対して第２保持部側に設け、かつ基板が第１保持部に保持された状態で第１ベース部と基板との当接部が第１突起部と基板との当接部よりも第２保持部側に位置するように第１突起部と第１ベース部とを前後方向にずらしたので、基板の第１保持部側が第２保持部側よりも低くなるように傾斜させた状態で、基板の第１保持部側の端部または中間部に設けた貫通孔の周縁部を、第１突起部と第１ベース部の間に侵入させることができる。そして、この状態から基板を倒して、第２保持部側の基板の端部または中間部に設けた貫通孔の周縁部を第２突起部に当接させた後、さらに基板を倒すと、変形部が押圧されて変形する。そして、第２保持部側の基板の端部または中間部に設けた貫通孔の周縁部が第２突起部を乗り越えると、変形部が元の状態に戻ろうとするため、基板が壁部へ押し付けられる。また、基板の第１保持部側の端部または中間部に設けた貫通穴の周縁部が第１突起部と第１ベース部の間に挟み込まれ、基板の第２保持部側の端部または中間部に設けた貫通穴の周縁部が第２突起部と第２ベース部の間に挟み込まれる。このようにして、基板がフレームに保持される。
【０００８】
また、変形部は、板状に形成されて、前記複数の鍵の並び方向に延設され、延設方向両端にて上下方向に沿って固定されている。これによれば、アコースティックピアノの鍵タッチを模擬するための揺動部材（例えばハンマー）を有する鍵盤装置であっても、第２保持部の高さを小さくすることができるので、揺動部材と変形部との干渉を避けるために鍵盤装置の高さを大きくする必要がない。したがって、揺動部材を有する鍵盤装置であっても、高さを抑えた鍵盤装置を実現できるので、鍵盤装置全体としてコストダウンできる。
【０００９】
また、前後方向の幅が壁部と第２突起部の前後方向の離間距離よりも大きい基板であっても、第１保持部及び第２保持部のうちのいずれか一方又は両方に対応した位置に組み付け用の貫通孔を設けておけば、フレームを変更することなく、組み付けることができる。例えば、演奏者に対する押鍵操作ガイドのために発光素子（例えばＬＥＤ）の点灯及び消灯を制御する鍵照光回路を基板に追加することがある。そのために、鍵照光回路の無い基板に比べて大きな基板が必要になることがある。この場合でも、上記のように基板の中間部の適切な位置に組み付け用の貫通孔を設けておけば、フレームを変更することなく組み付けることができる。したがって、鍵照光機能の有無による２つのバリエーションの鍵盤装置を簡単に実現できる。上記の鍵盤装置の基板保持構造によれば、従来の基板保持構造と異なり、ねじ留めが不要なので、部品コストを削減でき、基板のフレームへの組み付け性が良好になる。
【００１０】
また、本発明の他の特徴は、さらに、第１ベース部から連続して壁部側へ延設されて、第１ベース部から壁部側へ向かうに従って基板からの離間距離が大きくなるように傾斜した傾斜面を有する傾斜部（３０ｂ）を設けたことにある。傾斜部を設けない場合、すなわち、壁部と第１ベース部が離間している場合は、基板の第１保持部側の端部を第１保持部に侵入させるときの基板の傾斜角度が必要以上に大きいと、壁部と第１ベース部の間に基板端が嵌り込んでしまい、組み付け性が低下することが考えられる。しかし、上記のように構成した鍵盤装置の基板保持構造によれば、第１ベース部から連続して壁部側へ延設された傾斜部を設けたので、壁部と第１ベース部の間に基板端が嵌り込むのを防ぐことができる。また、傾斜部をガイドとして用いることができるので、基板の組み付け時における傾斜角度を適切な角度に保つことができる。したがって、基板のフレームへの組み付け性がより良好になる。
【００１１】
また、本発明の他の特徴は、さらに、傾斜部の壁部側の端部から連続して壁部側へ延設されて、壁部に連結された連結部（３０ｄ）を設けたことにある。これによれば、連結部は壁部のリブとして機能するので、壁部の強度を向上させることができる。
【００１２】
なお、前記括弧内の符号は、本発明の理解を容易にするために、後述する実施形態との対応関係を示すものであるが、本発明はこれに限定されるものではない。
【図面の簡単な説明】
【００１３】
【図１】本発明の一実施形態に係る基板保持構造を備えた鍵盤装置の右側面図である。
【図２Ａ】図１の鍵盤装置のフレームの平面図である。
【図２Ｂ】図１の鍵盤装置のフレームの右側面図である。
【図３Ａ】図２Ａのフレームの第１保持部及び第２保持部の拡大図である。
【図３Ｂ】図３ＡのＢ−Ｂ線に沿って見た断面図である。
【図３Ｃ】図３ＡのＣ−Ｃ線に沿って見た断面図である。
【図４Ａ】図１の鍵盤装置の基板の組み付け手順を示す図であって、基板の貫通穴に第１保時部の突起部及び壁部を通すために、フレームの上方で基板を傾斜させて位置合わせをしている状態を示す図である。
【図４Ｂ】図１の鍵盤装置の基板の組み付け手順を示す図であって、基板の貫通穴に第１保時部の突起部及び壁部を通した後、基板を倒して、第２保持部の傾斜面部に当接させた状態を示す図である。
【図４Ｃ】図１の鍵盤装置の基板の組み付け手順を示す図であって、基板のフレームへの組み付けが完了した状態を示す図である。
【図５】本発明の一実施形態に係り、図１の鍵盤装置の基板よりも前後方向の幅が小さな基板を組み付けた鍵盤装置の右側面図である。
【図６Ａ】図５の鍵盤装置の基板の組み付け手順を示す図であって、基板の前端部を第１保持部に侵入させた状態を示す図である。
【図６Ｂ】図５の鍵盤装置の基板の組み付け手順を示す図であって、基板の後端部を第２保持部の傾斜面部に当接させた状態を示す図である。
【図６Ｃ】図５の鍵盤装置の基板の組み付け手順を示す図であって、基板のフレームへの組み付けが完了した状態を示す図である。
【図７】本発明の変形例に係る基板保持構造を備えた鍵盤装置の右側面図である。
【発明を実施するための形態】
【００１４】
以下、本発明の一実施形態について図面を用いて説明する。以下の説明では、演奏者から見て手前側（図１の左側）を「前」とし、奥側（図１の右側）を「後」とする。また、演奏者から見て右側（図１の紙面の表面側）を「右」とし、左側（図１の紙面の裏面側）を「左」とする。さらに、演奏者から見て、上側（図１の上側）を「上」とし、下側（図１の下側）を「下」とする。なお、左右方向を横方向という。
【００１５】
図１は、本実施形態に係る基板保持構造を備えた鍵盤装置を右側から見た図である。鍵１１は合成樹脂によって長尺状に一体成型されている。鍵１１は、前後に延設された薄肉の上壁及び上壁の左右端からそれぞれ下方へ延設された薄肉の側壁を有し、下方に開放した中空状に形成されている。そして、鍵１１は、下方に設けられたフレーム１２の鍵支持部１３により支持されており、後端部の回転中心１４を中心として、前端部が上下方向に揺動可能となっている。
【００１６】
フレーム１２は、樹脂の一体成型により横方向に延設されている。フレーム１２は、図２Ａ及び図２Ｂに示すように、それぞれ横方向に延設された前板１２ａ及び後板１２ｂを有する。後板１２ｂは前板１２ａよりも高い位置にあり、前板１２ａの後端と後板１２ｂの前端は横方向に延設された垂直板１２ｃによって接続されている。すなわち、フレーム１２の上部には、前板１２ａ及び後板１２ｂにより段差が形成されている。
【００１７】
鍵１１の中間部には、フレーム１２の前部に設けられた鍵ガイド１５が下方から侵入しており、鍵１１の前端部は、押鍵時に鍵ガイド１５に案内されて上下方向に揺動する。鍵１１の前部から下方に向かって駆動部１６が延設されている。駆動部１６は、上下に延設された薄肉の前壁及び前壁の左右端からそれぞれ後方へ延設された薄肉の側壁を有し、後方に開放した中空状に形成されている。駆動部１６の下端は下端壁により閉じている。
【００１８】
鍵１１の下方には、鍵１１に慣性力を付与してアコースティックピアノの鍵タッチ感を模擬するため、鍵１１の押離鍵操作に伴って揺動する揺動レバー１７が設けられている。揺動レバー１７は、合成樹脂製のレバー基部１７ａ及び金属製の質量体１７ｂからなる。レバー基部１７ａは、板状の部材であって、その下部に設けたフック部１７ａ１にて、フレーム１２の下部に設けたレバー支持部２０に、ピン２０ａの軸線周りに回動可能に支持されている。また、レバー基部１７ａは、前端部に上下一対の脚部１７ａ２，１７ａ３を備え、上方に位置する脚部１７ａ２は下方に位置する脚部１７ａ３より短く形成されている。脚部１７ａ２，１７ａ３の間には、鍵１１の駆動部１６の下端壁が侵入している。脚部１７ａ２は、鍵１１の駆動部１６の下端壁と、鍵１１の駆動部１６内であって下端壁との間に隙間を形成する図示しない中間壁との間に侵入している。駆動部１６の下端壁には、ゴム、ウレタン、フエルトなどの衝撃吸収材が嵌め込まれて固着され、駆動部１６の下端と脚部１７ａ３の上面との衝突、及び駆動部１６の下端と脚部１８ａ２の下面との衝突による衝撃を緩和している。鍵１１の離鍵時には、揺動レバー１７の自重により、揺動レバー１７の前端部が上方へ変位する。このとき、脚部１７ａ３により駆動部１６が上方へ付勢され、鍵１１の前端部は上方へ変位する。一方、鍵１１の押鍵時には、駆動部１６の下端面が脚部１７ａ３の上面を押圧し、揺動レバー１７の前端部は下方へ変位する。
【００１９】
質量体１７ｂは、板状に形成され、レバー基部１７ａの後端に組み付けられている。質量体１７ｂは、全ての鍵１１に対して共通としてもよいし、アコースティックピアノの鍵タッチ感をより忠実に模擬するために、低音側から高音側に向かうに従って、鍵１１ごと又は鍵域ごとに質量体１７ｂを軽くしてもよい。
【００２０】
また、フレーム１２の前端部の下面には、フエルトなどの衝撃吸収材によって構成した長尺状の上限ストッパ２１が、横方向に延設されて固着されている。この上限ストッパ２１は、揺動レバー１７の前端部の上方への変位を規制することにより、離鍵時における鍵１１の前端部の上方への変位を規制する。また、フレーム１２の前板１２ａの下面には、フエルトなどの衝撃吸収材によって構成した長尺状の下限ストッパ２２が、横方向に延設されて固着されている。この下限ストッパ２２は、揺動レバー１７の後部の上方への変位を規制することにより、押鍵時における鍵１１の前端部の下方への変位を規制する。
【００２１】
また、鍵１１の中間部の下面には、スイッチ駆動部２５が設けられている。スイッチ駆動部２５は、基板２６上に配置されたスイッチ２７の上面に当接している。スイッチ２７は、各鍵１１ごとに設けられ、各鍵１１の揺動に伴ってスイッチ駆動部２５によって押圧されて、各鍵１１の押離鍵状態を検出する。なお、スイッチ２７は、各揺動レバー１７の揺動に伴って揺動レバー１７によって押圧されて、各鍵１１の押離鍵状態を検出するようにしてもよい。また、基板２６の中間部には上面から下面に貫通した方形状の貫通孔２６ａが、後述の第１保持部３０に対応した位置に設けられている。基板２６の前端部には、鍵照光回路２８が設けられている。鍵照光回路２８は、演奏者に対する押鍵操作ガイドのために、鍵１１ごとに設けられた発光素子（例えばＬＥＤ）の点灯及び消灯を制御するものである。基板２６は、フレーム１２に設けられた第１保持部３０及び第２保持部３１によって保持されている。
【００２２】
第１保持部３０及び第２保持部３１は、樹脂によりフレーム１２に一体的に形成される。また、第１保持部３０及び第２保持部３１は、それぞれ横方向に間隔をおいて複数箇所に設けられている。ただし、第１保持部３０及び第２保持部３１は、必ずしも等間隔に配置されている必要はなく、それぞれの間隔が異なっていてもよい。
【００２３】
第１保持部３０は、図３Ａ及び図３Ｂに示すように、基板２６の中間部を載置する左右一対のベース部３０ａ，３０ａ、基板２６の組み付け時に基板２６に当接してガイドする左右一対の傾斜部３０ｂ，３０ｂ、基板２６の貫通孔２６ａの内周面に当接して基板２６の前方向の位置を規定する壁部３０ｃ、壁部３０ｃの強度を向上させる左右一対の連結部３０ｄ，３０ｄ、及び基板２６の上方向の位置を規定する突起部３０ｅからなる。なお、これらのベース部３０ａ，３０ａ、傾斜部３０ｂ，３０ｂ、壁部３０ｃ及び連結部３０ｄ，３０ｄにより囲まれる前板１２ａの部分にはほぼ方形状の貫通孔３０ｆが設けられている。
【００２４】
ベース部３０ａ，３０ａは、それぞれ左右方向よりも前後方向を長くして平面視方形状に形成され、前板１２ａの前部上面から上方に突出しており、それらの上面３０ａ１，３０ａ１が前板１２ａの上面に平行な平面状に形成されている。傾斜部３０ｂ，３０ｂも、それぞれベース部３０ａ，３０ａとほぼ同一寸法の平面視方形状に形成され、ベース部３０ａ，３０ａの前側位置にてベース部３０ａ，３０ａと一体的に前板１２ａの上面から上方に突出している。傾斜部３０ｂ，３０ｂの上面３０ｂ１，３０ｂ１は、それぞれベース部３０ａ，３０ａの上面３０ａ１，３０ａ１の前端から連続して傾斜した平面状に形成されており、前方に向かうに従って低くなっている。すなわち、傾斜部３０ｂ，３０ｂの上面３０ｂ１，３０ｂ１は、前板１２ａの上面に平行な平面を形成するベース部３０ａ，３０ａの上面３０ａ１，３０ａ１の前端から前方に向かうに従って、前板１２ａの上面に対して近づくように傾斜した平面、言い換えれば、ベース部３０ａ，３０ａの上面３０ａ１，３０ａ１及び基板２６のベース部３０ａ，３０ａとの当接面からの上下方向の離間距離が大きくなるように傾斜した平面を形成する。
【００２５】
壁部３０ｃは、平面視方形状に形成されるとともに左右方向中央部に前方に突出する凸部を有するように形成され、傾斜部３０ｂ，３０ｂの左右方向の中間位置にて、前板１２ａの上面から上方へほぼ垂直に突出している。より詳細には、壁部３０ｃは、前板１２ａの上面に対して、上方に向かうに従って僅かに後方へ傾いて立設している。この壁部３０ｃの上端は、傾斜部３０ｂ，３０ｂの上面３０ｂ１，３０ｂ１より十分高く位置している。また、壁部３０ｃは、その前記平面視方形状部分の前面を傾斜部３０ｂ，３０ｂの前端面と同一にし、その平面視方形状部分の後面を傾斜部３０ｂ，３０ｂの前端位置と後端位置との間に位置させている。壁部３０ｃの左右両端は、左右一対の連結部３０ｄ，３０ｄにより、傾斜部３０ｂ，３０ｂに一体的に連結されている。連結部３０ｄ，３０ｄは、傾斜部３０ｂ，３０ｂの前側部分を左右方向に延設したものである。そして、連結部３０ｄ，３０ｄの上面は、傾斜部３０ｂ，３０ｂの上面３０ｂ１，３０ｂ１と同一平面を形成しており、後述する基板２６の組み付け時には、傾斜部３０ｂ，３０ｂの上面３０ｂ１，３０ｂ１と同様に機能する。
【００２６】
また、壁部３０ｃの上端部から後方へ向かって突起部３０ｅが突出している。突起部３０ｅの下面３０ｅ１は、ベース部３０ａ，３０ａの上面３０ａ１，３０ａ１と平行、すなわち前板１２ａの上面と平行となっている。また、基板２６の組み付け時に基板２６を第１保持部３０内へ侵入させ易くするため、突起部３０ｅの後側の下端が大きく面取りされている。突起部３０ｅの下面３０ｅ１の後端（ベース部３０ａ，３０ａの上面３０ａ１，３０ａ１に平行な突起部３０ｅの下面３０ｅ１）と、傾斜部３０ｂ，３０ｂの後端（すなわち、ベース部３０ａ，３０ａの前端）との前後方向の位置（詳しくは、前板１２ａの上面に平行な前後方向の位置）が同じになるように設定されている。なお、上記のように構成した場合に比べて、基板２６の組み付け性は若干低下するが、突起部３０ｅに面取りを設けなくてもよい。この場合、突起部３０ｅの下面３０ｅ１の後端と傾斜部３０ｂ，３０ｂの後端（すなわち、ベース部３０ａ，３０ａの前端）の前後方向の位置が同じになるように設定する。
【００２７】
また、第２保持部３１は、図３Ａ及び図３Ｃに示すように、基板２６の後端部を載置する左右一対のベース部３１ａ，３１ａ、基板２６を第１保持部側へ付勢する変形部３１ｂ、及び基板２６の後方向及び上方向の位置を規定する突起部３１ｃを有する。ベース部３１ａ，３１ａは、それぞれ左右方向よりも前後方向を長くして平面視方形状に形成され、前板１２ａの後部上面から上方に突出している。ベース部３１ａ，３１ａの上面３１ａ１，３１ａ１は、前板１２ａの上面と平行であり、第１保持部３０のベース部３０ａ，３０ａの上面３０ａ１，３０ａ１と同一平面を形成する。ベース部３１，３１は、それらの上面３１ａ，３１ａの前端から前方に向かうに従って下方に傾斜して構成され、前板１２ａに一体的に連結されている。
【００２８】
前板１２ａの後部には、前板１２ａと後板１２ｂの段差の立ち上がり面に沿った横長の貫通孔３２が設けられている。この貫通孔３２の前端面から前方にベース部３１，３１が突出している。また、後板１２ｂの前部には、立ち上がり面に沿って、横方向の長さが貫通孔３２と同じように長く、前後方向の幅が狭い貫通孔３３（スリット）が設けられている。貫通孔３２，３３の横方向の位置は同じである。これにより、貫通孔３２，３３の間の立ち上がり部に、変形部３１ｂが形成される。変形部３１ｂは、前述した垂直板１２ｃの一部を構成するもので、横方向（鍵の並び方向）に延設された板状になっている。変形部３１ｂは、前板１２ａ及び後板１２ｂよりも薄肉になっている。そして、変形部３１ｂの左右端は上下方向に沿って固定されている。すなわち、変形部３１ｂは、その中央部分に対して前後方向の押圧力が付与されると、変形部３１ｂの左右の両端を固定端として、前後方向に変形する。
【００２９】
また、変形部３１ｂの中央の前面から前方（すなわち基板２６側）に向かって、突起部３１ｃが突出しており、さらに上方へ延設されている。突起部３１ｃは、上端から下方に向かうに従って前方への張り出しが大きくなる急傾斜の傾斜面３１ｃ１を有する。傾斜面３１ｃ１の下端の上下方向の位置は、後板１２ｂの上面とほぼ同じ位置である。そして、傾斜面３１ｃ１の下端から後方に向かう平面状の係止面３１ｃ２上には、傾斜面３１ｃ１の下端から若干量だけ後方位置を前端面として垂直に下方へ向かう基板押圧部３１ｃ３が変形部３１ｂと一体連結されて設けられている。突起部３１ｃは、この突起部３１ｃが設けられた位置の上方に位置する鍵１１の左右の側壁の中間に位置する。また、前記鍵１１の左右側壁の部分であって、突起部３１ｃと前後方向の位置が同一の部分の下端は、突起部３１ｃの上端よりも下方に位置する。すなわち、突起部３１ｃの上部は、前記鍵１１の内側に入り込んでいる。
【００３０】
次に、基板２６のフレーム１２への組み付け手順を説明する。まず、図４Ａに示すように、フレーム１２の上方にて、基板２６の前部が後部よりも低くなるように傾斜させて、基板２６の貫通孔２６ａと第１保持部３０の突起部３０ｅの位置を合わせる。そして、基板２６を降ろして貫通孔２６ａに突起部３０ｅ及び壁部３０ｃを通し、基板２６の下面を傾斜部３０ｂ，３０ｂの上面３０ｂ１，３０ｂ１に当接させる。なお、傾斜部３０ｂ，３０ｂの上面３０ｂ１，３０ｂ１とベース部３０ａの上面３０ａ１，３０ａ１との境界部分に基板２６の下面を当接させてもよい。このとき、基板２６の後端は、第２保持部３１の突起部３１ｃの上方に位置する。次に、基板２６を倒すようにして、基板２６の後端を突起部３１ｃに近づける。すると、図４Ｂに示すように、基板２６の後端が傾斜面３１ｃ１に当接する。この状態では、基板２６の下面とベース部３０ａの上面３０ａ１，３０ａ１とは、僅かに離間している。
【００３１】
この状態から、さらに基板２６を倒すと、傾斜面３１ｃ１は前方に張り出しているから、基板２６の後端が変形部３１ｂを後方へ押圧して変形させる。図４Ｃに示すように、基板２６の後端が傾斜面３１ｃ１の下端を乗り越えると、基板２６の後部下面がベース部３１ａ，３１ａの上面３１ａ１，３１ａ１に当接する。このとき、変形部３１ｂは、元の状態に復帰しようとするため、基板押圧部３１ｃ３の前端面が基板２６の後端に当接して、基板２６を前方へ押し返す。すなわち、第２保持部３１は、基板２６を第１保持部３０側へ付勢する。一方、この状態では、基板２６の前部下面（貫通孔２６ａの後方下面）は、第１保持部３０のベース部３０ａ，３０ａの上面３０ａ１，３０ａ１に当接している。そして、基板２６は、第１保持部３０のベース部３０ａ，３０ａの上面３０ａ１，３０ａ１及び第２保持部３１のベース部３１ａ，３１ａの上面３１ａ１，３１ａ１上を前方へ変位して、基板２６は、貫通孔２６ａの後側面が壁部３０ｃの後側面に当接した時点で停止する。
【００３２】
基板２６が組み付けられていない状態において、第１保持部３０の壁部３０ｃと第２保持部３１の壁部３１ｃ３の間隔は、貫通孔２６ａの内周面のうちの後側の面と基板２６の後端面の間隔よりも若干小さく設定される。したがって、基板２６を組み付けた状態では、変形部３１ｂは若干後方へ変形しており、基板２６を壁部３０ｃに押し付けている。これにより、基板２６の前後方向の位置が規定される。また、第１保持部３０のベース部３０ａ，３０ａの上面３０ａ１，３０ａ１と突起部３０ｅの下面３０ｅ１との上下方向の間隔は基板２６の厚さとほぼ同じに設定されているので、基板２６の前端部が上面３０ａ１，３０ａ１と下端面３０ｅ１に挟まれることにより、基板２６の前端部の上下方向の位置が規定される。一方、第２保持部３１のベース部３１ａ，３１ａの上面３１ａ１，３１ａ１と突起部３１ｃの係止面３１ｃ２との上下方向の間隔も基板の厚さとほぼ同じに設定されているので、基板２６の後端部は、上面３１ａ１，３１ａ１と係止面３１ｃ２に挟まれることにより、上下方向の位置も規定される。すなわち、基板２６は第１保持部３０と第２保持部３１によって保持される。
【００３３】
また、図５に示すように、フレーム１２には、基板２６に代えて、基板２６よりも前後方向の幅が小さい基板３５を組み付けることもできる。基板３５は、基板２６から鍵照光回路を削除したもので、その前後方向の幅は、第１保持部３０の壁部３０ｃと第２保持部３１の突起部３１ｃの基板押圧部３１ｃ３の間隔よりも若干大きく設定されている。基板３５のフレーム１２への組み付け手順を、図６Ａ乃至図６Ｃを用いて説明する。まず、図６Ａに示すように、基板３５の前部が後部よりも低くなるように傾斜させて、第１保持部３０の傾斜部３０ｂ，３０ｂの上面３０ｂ１，３０ｂ１に基板３５の下面を当接させながら、基板３５の前端を第１保持部３０に侵入させる。なお、傾斜部３０ｂ，３０ｂの上面３０ｂ１，３０ｂ１とベース部３０ａの上面３０ａ１，３０ａ１との境界部分に基板３５の下面を当接させながら、基板３５の前端を第１保持部３０に侵入させてもよい。以降の組み付け手順は上述の基板２６の組み付け手順と同様である。すなわち、図６Ｂ及び図６Ｃに示すように、基板３５を倒して基板３５の後端を第２保持部３１の突起部３１ｃの傾斜面３１ｃ１に当接させた後、さらに基板３５を倒して傾斜面３１ｃ１の前端を乗り越えさせると、基板３５のフレーム１２への組み付けが完了する。
【００３４】
上述のように、基板３５の前後方向の幅は、第１保持部３０の壁部３０ｃと第２保持部３１の基板押圧部３１ｃ３の間隔よりも若干大きく設定されている。したがって、基板３５を組み付けた状態では、変形部３１ｂは若干後方へ変形しており、基板３５を壁部３０ｃに押し付けている。すなわち、基板３５の前端は第１保持部３０に当接している。これにより、基板３５の前後方向の位置が規定される。また、基板３５の厚さは基板２６と同じなので、基板３５の前端部がベース部３０ａ，３０ａの上面３０ａ１，３０ａ１と突起部３０ｅの下面３０ｅ１に挟まれ、基板３５の後端部がベース部３１ａ，３１ａの上面３１ａ１，３１ａ１と突起部３１ｃの係止面３１ｃ２に挟まれることにより、基板３５の上下方向の位置が規定される。すなわち、基板３５は第１保持部３０と第２保持部３１の間に保持される。
【００３５】
上記実施形態においては、第１保持部３０において、ベース部３０ａ，３０ａを突起部３０ｅの下面３０ｅ１よりも後方に設けた。そして、ベース部３０ａ，３０ａの前端から連続して前方へ延設された傾斜部３０ｂ，３０ｂを設け、傾斜部３０ｂ，３０ｂの前端部と壁部３０ｃの間に連結部３０ｄ，３０ｄを設けた。また、連結部３０ｄ，３０ｄの上面を、傾斜部３０ｂ，３０ｂの上面３０ｂ１，３０ｂ１と同一平面にした。そのため、基板２６，３５をフレーム１２に組み付けるとき、傾斜部３０ｂ、３０ｂの上面３０ｂ１，３０ｂ１を基板２６，３５のガイドとして用いることができる。また、基板２６においては、連結部３０ｄ，３０ｄの上面をガイドとして用いることもできる。また、傾斜部３０ｂ，３０ｂの上面３０ｂ１，３０ｂ１とベース部３０ａの上面３０ａ１，３０ａ１との境界部分を基板２６，３５のガイドとして用いることもできる。すなわち、基板２６においては、基板２６の下面を傾斜部３０ｂ，３０ｂの上面３０ｂ１，３０ｂ１及び連結部３０ｄ，３０ｄの上面に当接させるようにして基板２６を傾斜させた状態で、基板２６の貫通孔２６ａの周縁部を第１保持部内３０に侵入させることができる。また、基板３５においては、基板３５の下面を傾斜部３０ｂ，３０ｂの上面３０ｂ１，３０ｂ１に当接させるようにして基板３５を傾斜させた状態で、基板３５の前端部を第１保持部内３０に侵入させることができる。また、基板２６，３５の下面を傾斜部３０ｂ，３０ｂの上面３０ｂ１，３０ｂ１とベース部３０ａ，３０ａの上面３０ａ１，３０ａ１との境界部分に当接させるようにして基板２６，３５を傾斜させた状態で、基板２６の貫通孔２６ａの周縁部または基板３５の前端部を第１保持部内３０に侵入させることもできる。この状態から基板２６，３５を倒していくと、基板２６，３５の後端部が第２保持部３１内に侵入し、変形部３１ｂによって基板２６，３５が壁部３０ｃに押し付けられて保持される。したがって、ねじで基板をボスに固定する上記従来の鍵盤装置の基板保持構造に比べて、部品コストを削減でき、より簡単に基板をフレーム１２に組み付けることができる。
【００３６】
また、基板２６，３５がフレーム１２に組み付けられた状態では、壁部３０ｃは変形部３１ｂによって前側に付勢された基板２６，３５を支持している。すなわち、壁部３０ｃは、前方向へ押圧されている。そのため、壁部３０ｃは、前記押圧力に耐え得る強度を有する必要がある。そこで、傾斜部３０ｂ，３０ｂと壁部３０ｃの間に連結部３０ｄ，３０ｄを設け、連結部３０ｄ，３０ｄがリブとして機能するようにした。そのため、前記押圧力に耐え得る程度に壁部３０ｃの強度を高めることができる。
【００３７】
また、フレーム１２に段差を設け、その段差の立ち上がり面内に変形部３１ｂを構成した。変形部３１ｂが基板２６，３５を前方へ付勢する付勢力は、変形部３１ｂの上下方向の幅を変更しなくても、横方向の長さを変更することにより調整できる。そのため、フレーム１２に設けた段差の高さを小さくすることができるので、第２保持部３１の高さを抑制することができる。したがって、押鍵に伴って揺動レバー１７が揺動しても、揺動レバー１７は、第２保持部３１と干渉することが無い。また、突起部３１ｃを、同突起部３１ｃが位置する位置の鍵１１の左右の側壁の中間に配置したので、前記鍵１１の内側に突起部３１ｃの上部が入り込む。そのため、離鍵時における鍵１１と第２保持部３１との間隔をさらに小さくすることができる。したがって、鍵盤装置の高さをさらに抑制することができるので、鍵盤装置全体としてコストダウンできる。
【００３８】
なお、上記実施形態においては、第１保持部３０に、傾斜部３０ｂ，３０ｂを設けたが、傾斜部３０ｂ，３０ｂを省略することもできる。すなわち、壁部３０ｃとベース部３０ａ，３０ａとを離間させてもよい。しかし、傾斜部３０ｂ，３０ｂを省略した場合、基板３５のフレーム１２への組み付け工程において、基板３５の前端を第１保持部３０に侵入させるときの基板３５の傾斜角度が大きいと、基板３５の前端部がベース部３０ａ，３０ａと壁部３０ｃの間に嵌まり込んでしまい、基板の組み付け性が低下することが考えられる。そのため、上記実施形態のように、傾斜部３０ｂ，３０ｂを設けるのが好ましい。
【００３９】
さらに、本発明の実施にあたっては、上記実施形態に限定されるものではなく、本発明の目的を逸脱しない限りにおいて種々の変更が可能である。
【００４０】
上記実施形態においては、フレーム１２の前板１２ａが後板１２ｂよりも低くなるように段差を設けた。しかし、図７に示すように、本発明は、前板が後板よりも高くなっているフレーム３６にも適用される。フレーム３６は、上部にそれぞれ横方向に延設された前板３６ａ及び後板３６ｂを有する。前板３６ａは後板３６ｂよりも高い位置に設けられている。前板３６ａの後端と後板３６ｂの前端は、横方向に延設された垂直板３６ｃによって接続されている。そして、後板３６ｂの後部には、上記実施形態の第１保持部３０と同様の形状で、第１保持部３０とは前後の向きを逆にした第１保持部３７がフレーム３６に一体的に形成されている。一方、前板３６ａと後板３６ｂにより形成される段差部には、上記実施形態の第２保持部３１と同様の形状で、前後の向きを逆にした第２保持部３８がフレーム３６に一体的に形成されている。第１保持部３７と第２保持部３８の前後方向の離間距離は、上記実施形態の第１保持部３０と第２保持部３１の離間距離と同じである。図７に示す例においては、後部に組み付け用の貫通孔４０ａを有する基板４０を組み付けている。その他の構成は上記実施形態と同様である。
【００４１】
基板４０のフレーム３６への組み付け手順は、上記実施形態とほぼ同様である。すなわち、基板４０の後部が前部よりも低くなるように傾斜させて、貫通孔４０ａの周縁部を第１保持部３７に侵入させておき、基板４０を倒して基板４０の前端部を第２保持部３８に侵入させるようにすればよい。また、第１保持部３７と第２保持部３８の前後方向の離間距離は、上記実施形態の第１保持部３０と第２保持部３１の離間距離と同じなので、基板４０と同様の組み付け手順によって、上記実施形態の基板３５をフレーム３６に組み付けることもできる。すなわち、基板３５の後端部を第１保持部３７により、前端部を第２保持部３８によって保持することができる。このように構成しても、上記実施形態と同様の効果が得られる。なお、図７に示す変形例においては、第１保持部３７と第２保持部３８の離間距離を上記実施形態と同じにしたが、第１保持部３７と第２保持部３８の離間距離は、これに限られない。すなわち、フレーム３６に組み付けたい複数の異なる基板のうち、前後方向の幅が最小の基板に合わせて第１保持部３７と第２保持部３８の離間距離を設定すればよい。そして、他の基板には、第１保持部３７に対応する位置に組み付け用の貫通孔を設ければよい。
【符号の説明】
【００５３】
１１・・・鍵、１２，３６，４１・・・フレーム、２６，３５，４０，４５・・・基板、２６ａ，４０ａ，４５ａ，４５ｂ・・・貫通孔、２７・・・スイッチ、３０，３７，４２・・・第１保持部、３０ａ，３１ａ，４２ａ，４３ａ・・・ベース部、３０ｂ，４２ｂ・・・傾斜部、３０ｃ，４２ｃ・・・壁部、３０ｄ，４２ｄ・・・連結部、３０ｅ，３１ｃ，４２ｅ，４３ｃ・・・突起部、３１，３８，４３・・・第２保持部、３１ｂ，４３ｂ・・・変形部
【図１】
0005464325.tif 000002
【図２Ａ】
0005464325.tif 000003
【図２Ｂ】
0005464325.tif 000004
【図３Ａ】
0005464325.tif 000005
【図３Ｂ】
0005464325.tif 000006
【図３Ｃ】
0005464325.tif 000007
【図４Ａ】
0005464325.tif 000008
【図４Ｂ】
0005464325.tif 000009
【図４Ｃ】
0005464325.tif 000010
【図５】
0005464325.tif 000011
【図６Ａ】
0005464325.tif 000012
【図６Ｂ】
0005464325.tif 000013
【図６Ｃ】
0005464325.tif 000014
【図７】
0005464325.tif 000015